(57)【要約】【課題】面板の洗浄が効果的になされる防音パネルを提供する。【解決手段】面板の周囲に枠材を配置し、前記面板の雨水を導く面と面板の上部に配置させた上枠材の内側面との間に雨水が伝わる隙間を形成させて、上方から流下する雨水を面板の一方の面に導く導水路を形成させ、この隙間の全部又は一部に１ｍｍ以上２ｍｍ以下の大きさに形成させた幅狭部を形成させると共に、雨水が導かれる面に前記幅狭部の部分を含めて親水性を付与させる。前記幅狭部を形成させることで、導水路に導かれた雨水が面板の雨水が導かれる面に伝い流れずに上枠材から流れ落ちてしまうような問題が生じず、効果的に雨水が導かれる面上に雨水を導き洗浄させることができる。【選択図】        図４
2011246902.tif 000002
【特許請求の範囲】
【請求項１】
面板の周囲に枠材が配置された防音パネルであって、
上方から流下する雨水を面板の一方の面に導く導水路が設けられ、
該導水路においては雨水が導かれる面と前記面板の上部に配置された上枠材の内側面との間に雨水が伝わる隙間が形成され、
該隙間の全部又は一部に１ｍｍ以上２ｍｍ以下の大きさに形成された幅狭部が形成されていると共に、雨水が導かれる面には前記幅狭部の部分を含めて親水性が付与されていることを特徴とする防音パネル。
【請求項２】
前記面板を貫通する固定部材を介して前記面板と前記上枠材とが固定されると共に、前記固定部材に貫通された隙間調整部材が前記面板と前記上枠材との間に固定されて前記導水路が形成されていることを特徴とする請求項１に記載の防音パネル。
【発明の詳細な説明】
【技術分野】
【０００１】
本発明は、道路や鉄道の沿線等に沿って設置される洗浄構造を備えた防音パネルに関するものである。
【背景技術】
【０００２】
車両からの騒音を遮断するために、道路や鉄道の沿線等に沿って防音壁が設置される。かかる防音壁に用いられる防音パネルにおいて、例えば透視性を有する面板の周囲に枠体を形成した防音パネルが富に用いられている。かかる防音パネルは、設置されて常に車両の排気ガスや塵埃にさらされているために排気ガスや塵埃等により汚染され、汚染がよく目立ち、又その汚染により透視性が損なわれる恐れがある。
【０００３】
そこで、防音パネルの表裏面が須く洗浄されるよう、本出願人による特許文献１において、上下に積み重ねられた防音パネルの、上下に隣接する上段の防音パネルの下部より下段の防音パネルの上部にかけて導水孔を形成し、上段の防音パネルの外側の面上に降った雨水を導水孔を伝って下段の防音パネルの内側の面上に導かれるようにした防音パネルの洗浄構造が提案されている。
【先行技術文献】
【特許文献】
【０００４】
【特許文献１】特開２０００−２０４５２０号公報
【発明の概要】
【発明が解決しようとする課題】
【０００５】
本発明は、特許文献１の提案に更に検討を加えて、防音パネルの面板の洗浄が効果的になされるようにしたものである。
【課題を解決するための手段】
【０００６】
上記目的を達成するため、本発明は以下のような構成としている。
すなわち本発明に係る防音パネルは、面板の周囲に枠材が配置された防音パネルであって、
上方から流下する雨水を面板の一方の面に導く導水路が設けられ、
該導水路においては雨水が導かれる面と前記面板の上部に配置された上枠材の内側面との間に雨水が伝わる隙間が形成され、
該隙間の全部又は一部に１ｍｍ以上２ｍｍ以下の大きさに形成された幅狭部が形成されていると共に、雨水が導かれる面には前記幅狭部の部分を含めて親水性が付与されていることを特徴としている。
【０００７】
本発明に係る防音パネルによれば、上方から流下する雨水を面板の一方の面に導く導水路を設け、この導水路においては雨水が導かれる面と前記面板の上部に配置させた上枠材の内側面との間に雨水が伝わる隙間を形成させ、この隙間の全部又は一部に１ｍｍ以上２ｍｍ以下の大きさに形成させた幅狭部を形成させるので、導水路に導かれた雨水が面板の雨水が導かれる面に伝い流れずに上枠材から流れ落ちてしまうような問題が生じず、効果的に雨水が導かれる面上に雨水を導き洗浄させることができる。
また、雨水が導かれる面には前記幅狭部の部分を含めて親水性を付与させているので、雨水が前記幅狭部を通過する際に面板の雨水が導かれる面側に伝わり易く、効果的に雨水が導かれる面上に雨水を導くことができる。
【０００８】
また、前記面板を貫通する固定部材を介して前記面板と前記上枠材とを固定させると共に、前記固定部材に貫通された隙間調整部材を前記面板と前記上枠材との間に固定させて前記導水路を形成させれば、前記幅狭部の隙間の大きさが維持されるので、前記雨水が導かれる面上への雨水の導水が安定してなされるので、効果的に面板の洗浄がなされ好ましい。
【発明の効果】
【０００９】
本発明に係る防音パネルによれば、上枠材の上方からの雨水を面板の面上に導き伝い流れさせ、効果的に洗浄させることができる。
【図面の簡単な説明】
【００１０】
【図１】本発明に掛かる防音パネルを備えた防音壁の実施の一形態を示す側面図である。
【図２】図１の正面図である。
【図３】図１の防音パネルを示す、（イ）は平面図であり、（ロ）は正面図であり、（ハ）は側面図である。
【図４】図１の湾曲部における防音パネルの主要部の部分拡大図である。
【図５】図１に示す防音パネルの上枠材と面板とを固定する固定部材付近を示す断面図である。
【発明を実施するための形態】
【００１１】
本発明の実施の形態を図面に基づき具体的に説明する。
図１〜２における形態は、高速道路等の側縁に道路の長手方向に沿って所定間隔を置いて立設されたＨ型鋼からなる支柱Ａと、この支柱Ａ間に上下に積み重ねられて支持された防音パネル１とから構成されたものであって、垂直状の下部から上部が道路の上方に湾曲され、すなわち民地側となされた防音パネル１の外側の面１１を凸曲面とし、車道側となされた防音パネル１の内側の面１２を凹曲面として設置されている。
【００１２】
図３は図１の防音パネルを示す、（イ）は平面図であり、（ロ）は正面図であり、（ハ）は側面図である。
各防音パネル１は、ポリカーボネートやアクリル等の合成樹脂板、ガラス等の透視性を有し又は不透明な合成樹脂板や金属板等からなる面板２に上枠材３、下枠材４、左右の縦枠材６が配置されて形成されている。
【００１３】
図４は図１の湾曲部における防音パネル１の主要部の部分拡大図である。
本実施形態の上枠材３は、防音パネル１の前面側に配置された四角筒形状の上枠主材３１と、後面側に配置された略板形状の上枠板３２とから構成されており、面板２はその上端を前記上枠主材３１と上枠板３２との間に挿入させて、上枠材３に固定されている。
また、本実施形態の下枠材４は、防音パネル１の前面側に配置された四角筒形状の下枠主材４１と、後面側に配置された略板形状の下枠板４２とから構成されており、面板２はその下端を前記下枠主材４１と、下枠板４２との間に挿入させて、下枠材４に固定されている。
【００１４】
前記防音パネル１は、下段側の防音パネル１ｂの上枠材３に、上段側の防音パネル１ａの下枠材４を相対向させて順次上下に積み重ねられており、各防音パネル１ａ、１ｂの後面側が外側の面１１となり、前面側が内側の面１２となるように取り付けられている。
また、上下に隣接する上段の防音パネル１ａの下部より下段の防音パネル１ｂの上部にかけて導水路５が形成されている。この導水路５は、本実施形態では、その入口を上段の防音パネル１ａの外側の面１１とし、出口を下段の防音パネル１ｂの内側の面１２となるように形成されている。より詳細には、前記導水路５は、上段の防音パネル１ａの面板２ａの外側の面１１を流下する雨水が、上段の防音パネル１ａの下枠材４の下枠板４２の後面上を流下し、前記下枠材４と下段の防音パネル１ｂの上枠材３との間の隙間へ流れ落ち、この隙間に連通する下段の防音パネル１ｂの上枠材３の上枠主材３１と上枠板３２との間に設けられた隙間へ流れ落ち、更に上枠主材３１と面板２ｂの内側の面１２との間に設けられた隙間へ流れ込み、最終的に下段の防音パネル１ｂの内側の面１２へ前記雨水が導かれるように形成されている。
【００１５】
尚、本実施形態の防音パネル１ｂは、前記上枠主材３１と上枠板３２との間に挿入された面板２ｂの内側の面１２と、これに相対する前記上枠主材３１の内側面３５との間に隙間が形成されて、前記導水路５の一部を構成するようになされているが、前記面板２ｂの内側の面１２と前記内側面３５との隙間の大きさが１ｍｍ以上２ｍｍ以下となる幅狭部３４を形成するように設けられている。
これは、上段の防音パネル１ａの下枠材４と下段の防音パネル１ｂの上枠材３との間の隙間へ流れ落ちた雨水が、前記上枠主材３１の内側面３５の上へ流れ落ちた場合、その雨水が少量の場合は前記内側面３５の面上を水滴状となって流れ落ちていくが、前記幅狭部３４の隙間を２ｍｍ以下に形成させることで、流れ落ちる雨水の水滴が前記幅狭部３４に至ると、前記水滴の上端部分が前記面板２ｂの内側の面１２に接触し、前記水滴が前記面板２ｂへ伝わり、雨水を面板２ｂへ導くことができる。
また、前記幅狭部３４の隙間の大きさを１ｍｍ以上に形成させることで、前記導水路５を多量の雨水が流れるような状況で、全ての雨水が前記幅狭部３４を通り流れることができずに防音パネル１ｂの上枠材３の上側からあふれてしまうような問題が抑制でき、前記面板２ｂへ雨水を効率よく導くことができる。
【００１６】
本実施形態の各防音パネル１ａ、１ｂの面板２ａ、２ｂは、その外側の面１１と内側の面１２が、親水性を付与させた親水面となされている。本発明における親水面とは、親水性を付与されて、好ましくは２０℃での水の接触角が３０゜以下となされた表面を意味し、より好ましくは２０℃での水の接触角が２０゜以下となされた表面を意味する。
面板２ａ、２ｂの表面の水の接触角を３０゜以下にすることで、降雨等の水によってその表面が自己浄化されることによる耐汚染性を発現するので好ましい。
【００１７】
より詳細には面板２ａ、２ｂのその外側の面１１と内側の面１２には、光触媒を含む光触媒含有層が形成されており、これに紫外線が照射されることにより光触媒が活性化され、その表面が親水化され、前記の外側の面１１と内側の面１２とが親水面となされるように設けている。
尚、光触媒の種類は特に限定されるものではないが、一般には二酸化チタンが好適に用いられる。二酸化チタンは、ルチル型でもよいが、活性の高さからアナターゼ型のものが好ましく、この二酸化チタンに波長領域が３００〜４００ｎｍ付近の紫外線を照射することによって活性化され、その活性化によって強い酸化力が発現されて、表面に付着した汚染物質は分解されると共に、活性化によってその表面は水との接触角でほぼ０〜２０度程度まで親水化される。
【００１８】
また、面板２ａ、２ｂの外側の面１１と内側の面１２とを親水面とする方法は、光触媒含有層によるものに限るものではなく、表面にオルガノシリケート化合物の含有層を形成させて親水面としてもよく、その他の方法を用いてもよい。
【００１９】
また、特に下段の防音パネル１ｂの面板２ｂの内側の面１２を、前記幅狭部の部分を含めて親水面とすることで、前記導水路５を流れる雨水が少量の場合に、前記面板２ｂの内側の面１２と前記内側面３５との隙間へ流れ込んだ雨水の水滴が前記幅狭部３４で前記面板２ｂの内側の面１２へ接触した後に、面板２ｂ側へ雨水がより導かれやすくなるので、前記面板２ｂへ雨水をより効率よく導くことができる。
【００２０】
図５は図１に示す防音パネルの上枠材３と面板２とを固定する固定部材９付近を示す断面図である。
本実施形態の上枠材３は、ボルト９ａと、ナット９ｂを固定部材９として、両者の締結によって上枠主材３１と上枠板３２とを固定させており、面板２ｂは上枠材３への挿入部分に形成させた貫通穴２１に前記ボルト９ａの雄ねじを挿通させて、前記上枠材３に固定されている。
【００２１】
上枠材３と面板２ｂとの固定をより詳細に説明すると、上枠主材３１の後面側には、後方に開口する溝部３３が長手方向に沿って形成されている。溝部３３はその内部に前記ボルト９ａのボルト頭部を収納可能な大きさに形成されており、前記ボルト９ａのボルト頭部を溝部３３に収納させ、その雄ねじ部分を溝部３３の開口部分から後方へ突出させて取り付け可能に形成させている。また、溝部３３の開口部分には、溝の内側方向へ突出する開口縁を備えており、溝部３３の内部にボルト頭部を収納させたボルト９ａが、後方へ抜け落ちることを防止させている。
上記の如く前記溝部３３に固定されたボルト９ａは、その雄ねじ部分を隙間調整部材６に貫通させ、更に面板２ｂの貫通穴２１に挿通させ、更に上枠板３２を貫通させ、最後にナット９ｂを螺結させて、上枠材３と面板２ｂとを固定させている。
【００２２】
前記隙間調整部材６は、中央に円形の貫通穴を有する均一な厚みの円盤形状に形成されており、平ワッシャーのような形状に形成されている。この隙間調整部材６の貫通穴に前記ボルト９ａの雄ねじ部分を挿通させて、前記上枠主材３１と面板２ｂとの間に固定させることで、前記上枠主材３１の内側面３５と面板２ｂの内側の面１２との隙間が前記隙間調整部材６の厚みの大きさに保たれて、前記幅狭部３４を形成するようになされている。
本実施形態の隙間調整部材６は１．５ｍｍの厚みに形成されているが、前記幅狭部３４を１ｍｍ以上２ｍｍ以下に形成される範囲の好適な厚みを選択して用いることができる。
尚、本実施形態の上枠材３においては、上枠主材３１と上枠板３２とを固定させている全てのボルト９ａの雄ねじ部分にそれぞれ隙間調整部材６を取り付けており、内側面３５と面板２ｂの内側の面との隙間の大きさを面板２ｂの全長に亘って均一にし、各隙間調整部材６の間の隙間を雨水が効率よく流れるように構成させている。
【００２３】
また、本実施形態では、面板２ｂの内側の面１２と上枠主材３１の内側面３５との隙間の大きさが、前記隙間調整部材に接している部分を除いて上枠材３の内部に挿入された前記面板２ｂの挿入部分の略全体において均一になされ、前記幅狭部３４が形成されるように設けられている。このため、前記導水路５を流れる雨水が上枠材３の内部に流入した後、より確実に前記幅狭部３４に至って前記面板２ｂに接触し、その内側の面１２に導かれるようになされている。
【００２４】
また、本実施形態の導水路５は、上下方向に積み重ねられた防音パネル１ａ、１ｂにおいて、その入口を上段の防音パネル１ａの外側の面１１とし、出口を下段の防音パネル１ｂの内側の面１２となるように形成されているが、これに限るものではなく、下段の防音パネル１ｂの上に防音パネル１ａ以外の部材を配置させて、その外側の面を流下する雨水を下段の防音パネル１ｂの上枠材３の上枠主材３１と上枠板３２との間に設けられた隙間へ流れ込ませて、下段の防音パネル１ｂの内側の面１２へ前記雨水が導かれるように形成させてもよい。
【符号の説明】
【００２５】
１    防音パネル
２    面板
２１  貫通穴
３    上枠材
３１  上枠主材
３２  上枠板
３３  溝部
３４  幅狭部
３５  内側面
４    下枠材
４１  下枠主材
４２  下枠板
５    導水路
６    隙間調整部材
９    固定部材
９ａ  ボルト
９ｂ  ナット
【図１】
2011246902.tif 000003
【図２】
2011246902.tif 000004
【図３】
2011246902.tif 000005
【図４】
2011246902.tif 000006
【図５】
2011246902.tif 000007